(57)【特許請求の範囲】
【請求項１】
バイオマスエネルギーでメタンガスを作成する設備であって、外殻を含み、前記外殻の中には反応空間が設置され、前記外殻の内部右端には伝動空間が設置され、前記伝動空間の中には前記バイオマスエネルギーでメタンガスを作成する設備に動力を提供できる伝動機構が設置され、前記反応空間の中には攪拌機能と搬送機能を備える昇降回転機構が設置され、前記反応空間の内部上端には原料を投入できる投入機構が設置され、前記伝動空間の上側には作成されたメタンガスを収集できる収集機構が設置され、前記昇降回転機構は前記反応空間の下側に位置する従動空間を含み、前記伝動空間の右壁には左端が前記従動空間の中に延在する回転棒が回転可能に連結され、前記回転棒の左端には摺動歯車がキーで連結され、前記摺動歯車の中には左方に開口する摺動空間が設置され、前記摺動空間の中には前記摺動空間の中で摺動できる摺動ブロックが設置され、前記摺動ブロックの左面には細縄が固定的に連結され、前記回転棒の左端には前記摺動歯車の右側に位置する環状板が設置され、前記環状板の左面には前記摺動歯車の右面と連結された二本の牽引力ばねが固定的に設置され、前記従動空間の下壁には上端が前記反応空間の中に延在する旋転軸が回転可能に連結され、前記旋転軸の上端には前記反応空間の中に位置する第一傘歯車が設置され、前記反応空間の中には前記反応空間の中で回転できる且つ上下に摺動できる推動板が設置され、前記推動板の中には下方に開口する昇降空間が設置され、前記昇降空間の中には前記昇降空間の中で上下に摺動できる昇降ブロックが設置され、前記昇降ブロックの上面には前記昇降空間の上壁と連結された引張ばねが設置され、前記昇降ブロックの下面は前記旋転軸の上面と固定的に連結され、前記推動板の上面には固定棒が四本固定的に設置され、前記旋転軸の下端にはラックスリーブが設置され、前記ラックスリーブは前記旋転軸を包み込み、かつ前記ラックスリーブの前面は前記摺動歯車と噛み合うように連結されることができ、前記旋転軸は前記ラックスリーブの中で回転でき、前記反応空間の下側には加熱ブロックが設置され、前記バイオマスエネルギーでメタンガスを作成する設備は前記投入機構を通じて一定の比率で原料を投入でき、投入された原料は前記昇降回転機構によって攪拌され、反応してメタンガスを生み出し、最後に前記収集機構を通じてメタンガスを集め、
前記伝動空間は前記伝動空間の右壁に固定されたモータを含み、前記モータの左端には左端が前記反応空間の中に延在する伝動軸が伝動可能に連結され、前記伝動軸の左端には前記第一傘歯車と噛み合うように連結された第二傘歯車が設置され、前記伝動軸の右端には伝動歯車が設置され、前記回転棒の右端には前記伝動歯車と噛み合うように連結された従動歯車が設置され、前記伝動空間の右壁には前記伝動軸の上側に位置する回転軸が回転可能に連結され、前記回転軸の左端にはラチェットが設置され、前記ラチェットには回転空間が均一に配列され、前記回転空間の前後壁にはいずれも固定ロッドが回転可能に連結され、前記固定ロッドにはいずれも回転板が設置され、前記固定ロッドには前記回転板と連結された捻りばねが設置され、前記回転軸の右端にはリールが設置され、前記リールには麻縄が連結され、
前記投入機構は前記外殻の上端に位置し且つ上方に開口する第一原料保存空間と、第二原料保存空間と、第三原料保存空間とを含み、前記第二原料保存空間の中には水があり、前記第三原料保存空間の中にはｐＨ調整剤があり、前記第一原料保存空間の下壁には前記反応空間を連通する第一投入穴が設置され、前記第二原料保存空間の下壁には前記反応空間を連通する第二投入穴が設置され、前記第三原料保存空間の下壁には前記反応空間を連通する第三投入穴が設置され、前記反応空間の上側には前記第一投入穴と、前記第二投入穴と、前記第三投入穴とを貫通する移動空間が設置され、前記移動空間の中には前記移動空間の中で左右に摺動できる隔離板が設置され、前記隔離板の中には第一貫通穴と、第二貫通穴と、第三貫通穴とが上下貫通になるように設置され、前記隔離板の左壁には前記移動空間の左壁と連結された復位ばねが固定的に設置され、前記隔離板の左面は前記麻縄の一端と連結され、前記移動空間の下壁には上方に開口する妨害ブロック空間が設置され、前記妨害ブロック空間の中には前記妨害ブロック空間の中で上下に摺動できる妨害ブロックが設置され、前記妨害ブロックの下面には前記妨害ブロック空間の下壁と連結された弾性ばねが設置され、前記妨害ブロックの下面には引縄が固定的に連結され、前記隔離板の下面には下方に開口する引掛溝が形成され、前記反応空間の左壁には右方に開口する圧迫ブロック空間が設置され、前記圧迫ブロック空間の中には前記圧迫ブロック空間の中で上下に摺動できる圧迫ブロックが設置され、前記圧迫ブロックの下面には前記圧迫ブロック空間の下壁と連結された支持ばねが固定的に設置され、前記圧迫ブロックの左面は前記引縄の一端と固定的に連結され、前記圧迫ブロックの右面には固定ブロックが固定的に設置され、
前記収集機構は前記伝動空間の上側に位置する収集空間を含み、前記収集空間の中には前記収集空間の中で上下に摺動できる圧迫板が設置され、前記圧迫板の下面には弾力ばねが二本固定的に設置され、前記弾力ばねの下端は前記収集空間の下壁と連結され、前記収集空間の右壁上端には外部と連通する排気口が設置され、前記収集空間の右壁下端には外部と連通する排気穴が設置され、前記排気穴の中には電磁スイッチが設置され、前記収集空間の左壁下端には前記反応空間と連通する入気口が設置され、前記入気口の中には前記入気口の中で左右に摺動できるピストン板が設置され、前記ピストン板の左面には前記入気口の左壁と連結された二本の圧縮ばねが固定的に設置され、前記ピストン板の下面は前記細縄の一端と連結されていることを特徴とするバイオマスエネルギーでメタンガスを作成する設備。
【請求項２】
はじめに、前記妨害ブロックは前記引掛溝の中に位置し、前記第一原料保存空間と、前記第二原料保存空間と、前記第三原料保存空間とはそれぞれ前記第一投入穴と、前記第二投入穴と、前記第三投入穴とを通じて前記反応空間と連通し、前記復位ばねは圧縮状態にあることを特徴とする請求項１に記載のバイオマスエネルギーでメタンガスを作成する設備。
【請求項３】
はじめに、前記摺動歯車は前記旋転軸の右側に位置し、前記摺動歯車と前記ラックスリーブとは噛み合っていなく、前記牽引力ばねの牽引力は前記摺動歯車が前記回転棒で摺動する時に受けた摩擦力より強いことを特徴とする請求項１に記載のバイオマスエネルギーでメタンガスを作成する設備。
【請求項４】
はじめに、前記推動板は前記固定ブロックの上面に位置し、前記支持ばねの支持力は前記推動板が受けた重力より強いことを特徴とする請求項１に記載のバイオマスエネルギーでメタンガスを作成する設備。
【発明の詳細な説明】
【技術分野】
【０００１】
本願発明は新エネルギー分野を取り上げ、特にバイオマスエネルギーでメタンガスを作成する設備に関わる。
【背景技術】
【０００２】
新エネルギーとは、現代社会でよく提唱されているエネルギーである。そしてバイオマスエネルギーは新エネルギーの一種であり、バイオマスエネルギーに基づいたメタンガス作成方法の誕生もごく当たり前のことである。バイオマスエネルギーでメタンガスを作成するには、一定の温度と、ｐＨ調整剤と、水とが必要である。現段階において、バイオマスエネルギーによるメタンガスの作成は、一般的に密封環境で発酵菌を利用して行われ、しかし、これでは作成効率が悪く、メタンガスの収集も難しい。
【先行技術文献】
【特許文献】
【０００３】
【特許文献１】中国特許出願公開第１０５７５５０５１号明細書
【発明の概要】
【発明が解決しようとする課題】
【０００４】
バイオマスエネルギーでメタンガスを作成する設備を提供し、作成効率が悪く、メタンガスの収集が難しいなどの問題を解決し、作成効率の向上とメタンガスの収集方法の増加とを目的とする。
【課題を解決するための手段】
【０００５】
本願発明は以下の技術的解決策で実現される。
【０００６】
本願に記載のバイオマスエネルギーでメタンガスを作成する設備は、外殻を含み、前記外殻の中には反応空間が設置され、前記外殻の内部右端には伝動空間が設置され、前記伝動空間の中には前記バイオマスエネルギーでメタンガスを作成する設備に動力を提供できる伝動機構が設置され、前記反応空間の中には攪拌機能と搬送機能を備える昇降回転機構が設置され、前記反応空間の内部上端には原料を投入できる投入機構が設置され、前記伝動空間の上側には作成されたメタンガスを収集できる収集機構が設置され、前記昇降回転機構は前記反応空間の下側に位置する従動空間を含み、前記伝動空間の右壁には左端が前記従動空間の中に延在する回転棒が回転可能に連結され、前記回転棒の左端には摺動歯車がキーで連結され、前記摺動歯車の中には左方に開口する摺動空間が設置され、前記摺動空間の中には前記摺動空間の中で摺動できる摺動ブロックが設置され、前記摺動ブロックの左面には細縄が固定的に連結され、前記回転棒の左端には前記摺動歯車の右側に位置する環状板が設置され、前記環状板の左面には前記摺動歯車の右面と連結された二本の牽引力ばねが固定的に設置され、前記従動空間の下壁には上端が前記反応空間の中に延在する旋転軸が回転可能に連結され、前記旋転軸の上端には前記反応空間の中に位置する第一傘歯車が設置され、前記反応空間の中には前記反応空間の中で回転できる且つ上下に摺動できる推動板が設置され、前記推動板の中には下方に開口する昇降空間が設置され、前記昇降空間の中には前記昇降空間の中で上下に摺動できる昇降ブロックが設置され、前記昇降ブロックの上面には前記昇降空間の上壁と連結された引張ばねが設置され、前記昇降ブロックの下面は前記旋転軸の上面と固定的に連結され、前記推動板の上面には固定棒が四本固定的に設置され、前記旋転軸の下端にはラックスリーブが設置され、前記ラックスリーブは前記旋転軸を包み込み、かつ前記ラックスリーブの前面は前記摺動歯車と噛み合うように連結されることができ、前記旋転軸は前記ラックスリーブの中で回転でき、前記反応空間の下側には加熱ブロックが設置され、前記バイオマスエネルギーでメタンガスを作成する設備は前記投入機構を通じて一定の比率で原料を投入でき、投入された原料は前記昇降回転機構によって攪拌され、反応してメタンガスを生み出し、最後に前記収集機構を通じてメタンガスを集める。
【０００７】
前記伝動空間は前記伝動空間の右壁に固定されたモータを含み、前記モータの左端には左端が前記反応空間の中に延在する伝動軸が伝動可能に連結され、前記伝動軸の左端には前記第一傘歯車と噛み合うように連結された第二傘歯車が設置され、前記伝動軸の右端には伝動歯車が設置され、前記回転棒の右端には前記伝動歯車と噛み合うように連結された従動歯車が設置され、前記伝動空間の右壁には前記伝動軸の上側に位置する回転軸が回転可能に連結され、前記回転軸の左端にはラチェットが設置され、前記ラチェットには回転空間が均一に配列され、前記回転空間の前後壁にはいずれも固定ロッドが回転可能に連結され、前記固定ロッドにはいずれも回転板が設置され、前記固定ロッドには前記回転板と連結された捻りばねが設置され、前記回転軸の右端にはリールが設置され、前記リールには麻縄が連結されている。
【０００８】
前記投入機構は前記外殻の上端に位置し且つ上方に開口する第一原料保存空間と、第二原料保存空間と、第三原料保存空間とを含み、前記第二原料保存空間の中には水があり、前記第三原料保存空間の中にはｐＨ調整剤があり、前記第一原料保存空間の下壁には前記反応空間を連通する第一投入穴が設置され、前記第二原料保存空間の下壁には前記反応空間を連通する第二投入穴が設置され、前記第三原料保存空間の下壁には前記反応空間を連通する第三投入穴が設置され、前記反応空間の上側には前記第一投入穴と、前記第二投入穴と、前記第三投入穴とを貫通する移動空間が設置され、前記移動空間の中には前記移動空間の中で左右に摺動できる隔離板が設置され、前記隔離板の中には第一貫通穴と、第二貫通穴と、第三貫通穴とが上下貫通になるように設置され、前記隔離板の左壁には前記移動空間の左壁と連結された復位ばねが固定的に設置され、前記隔離板の左面は前記麻縄の一端と連結され、前記移動空間の下壁には上方に開口する妨害ブロック空間が設置され、前記妨害ブロック空間の中には前記妨害ブロック空間の中で上下に摺動できる妨害ブロックが設置され、前記妨害ブロックの下面には前記妨害ブロック空間の下壁と連結された弾性ばねが設置され、前記妨害ブロックの下面には引縄が固定的に連結され、前記隔離板の下面には下方に開口する引掛溝が形成され、前記反応空間の左壁には右方に開口する圧迫ブロック空間が設置され、前記圧迫ブロック空間の中には前記圧迫ブロック空間の中で上下に摺動できる圧迫ブロックが設置され、前記圧迫ブロックの下面には前記圧迫ブロック空間の下壁と連結された支持ばねが固定的に設置され、前記圧迫ブロックの左面は前記引縄の一端と固定的に連結され、前記圧迫ブロックの右面には固定ブロックが固定的に設置されている。
【０００９】
前記収集機構は前記伝動空間の上側に位置する収集空間を含み、前記収集空間の中には前記収集空間の中で上下に摺動できる圧迫板が設置され、前記圧迫板の下面には弾力ばねが二本固定的に設置され、前記弾力ばねの下端は前記収集空間の下壁と連結され、前記収集空間の右壁上端には外部と連通する排気口が設置され、前記収集空間の右壁下端には外部と連通する排気穴が設置され、前記排気穴の中には電磁スイッチが設置され、前記収集空間の左壁下端には前記反応空間と連通する入気口が設置され、前記入気口の中には前記入気口の中で左右に摺動できるピストン板が設置され、前記ピストン板の左面には前記入気口の左壁と連結された二本の圧縮ばねが固定的に設置され、前記ピストン板の下面は前記細縄の一端と連結されている。
【００１０】
はじめに、前記妨害ブロックは前記引掛溝の中に位置し、前記第一原料保存空間と、前記第二原料保存空間と、前記第三原料保存空間とはそれぞれ前記第一投入穴と、前記第二投入穴と、前記第三投入穴とを通じて前記反応空間と連通し、前記復位ばねは圧縮状態にある。
【００１１】
はじめに、前記摺動歯車は前記旋転軸の右側に位置し、前記摺動歯車と前記ラックスリーブとは噛み合っていなく、前記牽引力ばねの牽引力は前記摺動歯車が前記回転棒で摺動する時に受けた摩擦力より強い。
【００１２】
はじめに、前記推動板は前記固定ブロックの上面に位置し、前記支持ばねの支持力は前記推動板が受けた重力より強い。
【発明の効果】
【００１３】
本発明は以下のプラス効果を有する：本願発明はシンプルな構成と簡単な操作方法を有し、作動時、自動的に原料を配合でき、設計された投入口のサイズによって、一定の比率で原料を配合でき、また、本願発明は攪拌と加熱機能を備え、素早く反応を行った後に、自動的に収集し始め、反応で得たメタンガスを集められる。
【図面の簡単な説明】
【００１４】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の実施例の構成略図
【図２】図２は本願発明の実施例における旋転軸の部分断面の正面構成略図
【図３】図３は本願発明の実施例におけるラチェットの全断面の右面構成略図
【図４】図４は図１におけるＡ部の構成略図
【図５】図５は図１におけるＢ部の構成略図
【発明を実施するための形態】
【００１６】
図１〜図５を合わせ、本願に記載のバイオマスエネルギーでメタンガスを作成する設備は、外殻１０を含み、前記外殻１０の中には反応空間１８が設置され、前記外殻１０の内部右端には伝動空間６６が設置され、前記伝動空間６６の中には前記バイオマスエネルギーでメタンガスを作成する設備に動力を提供できる伝動機構６３が設置され、前記反応空間１８の中には攪拌機能と搬送機能を備える昇降回転機構１３が設置され、前記反応空間１８の内部上端には原料を投入できる投入機構３５が設置され、前記伝動空間６６の上側には作成されたメタンガスを収集できる収集機構５３が設置され、前記昇降回転機構１３は前記反応空間１８の下側に位置する従動空間１２を含み、前記伝動空間６６の右壁には左端が前記従動空間１２の中に延在する回転棒６５が回転可能に連結され、前記回転棒６５の左端には摺動歯車７８がキーで連結され、前記摺動歯車７８の中には左方に開口する摺動空間８１が設置され、前記摺動空間８１の中には前記摺動空間８１の中で摺動できる摺動ブロック７７が設置され、前記摺動ブロック７７の左面には細縄４８が固定的に連結され、前記回転棒６５の左端には前記摺動歯車７８の右側に位置する環状板８０が設置され、前記環状板８０の左面には前記摺動歯車７８の右面と連結された二本の牽引力ばね７９が固定的に設置され、前記従動空間１２の下壁には上端が前記反応空間１８の中に延在する旋転軸１４が回転可能に連結され、前記旋転軸１４の上端には前記反応空間１８の中に位置する第一傘歯車１６が設置され、前記反応空間１８の中には前記反応空間１８の中で回転できる且つ上下に摺動できる推動板８２が設置され、前記推動板８２の中には下方に開口する昇降空間２６が設置され、前記昇降空間２６の中には前記昇降空間２６の中で上下に摺動できる昇降ブロック２４が設置され、前記昇降ブロック２４の上面には前記昇降空間２６の上壁と連結された引張ばね２７が設置され、前記昇降ブロック２４の下面は前記旋転軸１４の上面と固定的に連結され、前記推動板８２の上面には固定棒２５が四本固定的に設置され、前記旋転軸１４の下端にはラックスリーブ６７が設置され、前記ラックスリーブ６７は前記旋転軸１４を包み込み、かつ前記ラックスリーブ６７の前面は前記摺動歯車７８と噛み合うように連結されることができ、前記旋転軸１４は前記ラックスリーブ６７の中で回転でき、前記反応空間１８の下側には加熱ブロック１７が設置され、前記バイオマスエネルギーでメタンガスを作成する設備は前記投入機構３５を通じて一定の比率で原料を投入でき、投入された原料は前記昇降回転機構１３によって攪拌され、反応してメタンガスを生み出し、最後に前記収集機構５３を通じてメタンガスを集める。
【００１７】
好ましくは、前記伝動空間６３は前記伝動空間６６の右壁に固定されたモータ６１を含み、前記モータ６１の左端には左端が前記反応空間１８の中に延在する伝動軸６２が伝動可能に連結され、前記伝動軸６２の左端には前記第一傘歯車１６と噛み合うように連結された第二傘歯車１５が設置され、前記伝動軸６２の右端には伝動歯車６４が設置され、前記回転棒６５の右端には前記伝動歯車６４と噛み合うように連結された従動歯車１１が設置され、前記伝動空間６６の右壁には前記伝動軸６２の上側に位置する回転軸５９が回転可能に連結され、前記回転軸５９の左端にはラチェット５７が設置され、前記ラチェット５７には回転空間７１が均一に配列され、前記回転空間７１の前後壁にはいずれも固定ロッド７０が回転可能に連結され、前記固定ロッド７０にはいずれも回転板６９が設置され、前記固定ロッド７０には前記回転板６９と連結された捻りばね６８が設置され、前記回転軸５９の右端にはリール５８が設置され、前記リール５８には麻縄２８が連結されている。
【００１８】
好ましくは、前記投入機構３５は前記外殻１０の上端に位置し且つ上方に開口する第一原料保存空間３４と、第二原料保存空間３８と、第三原料保存空間４３とを含み、前記第二原料保存空間３４の中には水３７があり、前記第三原料保存空間４３の中にはｐＨ調整剤４０があり、前記第一原料保存空間３４の下壁には前記反応空間１８を連通する第一投入穴３３が設置され、前記第二原料保存空間３８の下壁には前記反応空間１８を連通する第二投入穴３９が設置され、前記第三原料保存空間４３の下壁には前記反応空間１８を連通する第三投入穴４１が設置され、前記反応空間１８の上側には前記第一投入穴３３と、前記第二投入穴３９と、前記第三投入穴４１とを貫通する移動空間３０が設置され、前記移動空間３０の中には前記移動空間３０の中で左右に摺動できる隔離板３１が設置され、前記隔離板３１の中には第一貫通穴３２と、第二貫通穴３６と、第三貫通穴４２とが上下貫通になるように設置され、前記隔離板３１の左壁には前記移動空間３０の左壁と連結された復位ばね２９が固定的に設置され、前記隔離板３１の左面は前記麻縄２８の一端と連結され、前記移動空間３０の下壁には上方に開口する妨害ブロック空間７５が設置され、前記妨害ブロック空間７５の中には前記妨害ブロック空間７５の中で上下に摺動できる妨害ブロック７３が設置され、前記妨害ブロック７３の下面には前記妨害ブロック空間７５の下壁と連結された弾性ばね７２が設置され、前記妨害ブロック７３の下面には引縄２３が固定的に連結され、前記隔離板３１の下面には下方に開口する引掛溝７４が形成され、前記反応空間１８の左壁には右方に開口する圧迫ブロック空間２０が設置され、前記圧迫ブロック空間２０の中には前記圧迫ブロック空間２０の中で上下に摺動できる圧迫ブロック２１が設置され、前記圧迫ブロック２１の下面には前記圧迫ブロック空間２０の下壁と連結された支持ばね１９が固定的に設置され、前記圧迫ブロック２１の左面は前記引縄２３の一端と固定的に連結され、前記圧迫ブロック２１の右面には固定ブロック２２が固定的に設置されている。
【００１９】
好ましくは、前記収集機構５３は前記伝動空間６６の上側に位置する収集空間５１を含み、前記収集空間５１の中には前記収集空間５１の中で上下に摺動できる圧迫板４９が設置され、前記圧迫板４９の下面には弾力ばね５２が二本固定的に設置され、前記弾力ばね５２の下端は前記収集空間５１の下壁と連結され、前記収集空間５１の右壁上端には外部と連通する排気口５０が設置され、前記収集空間５１の右壁下端には外部と連通する排気穴５５が設置され、前記排気穴５５の中には電磁スイッチ５４が設置され、前記収集空間５１の左壁下端には前記反応空間１８と連通する入気口４５が設置され、前記入気口４５の中には前記入気口４５の中で左右に摺動できるピストン板４７が設置され、前記ピストン板４７の左面には前記入気口４５の左壁と連結された二本の圧縮ばね４６が固定的に設置され、前記ピストン板４７の下面は前記細縄４８の一端と連結されている。
【００２０】
好ましくは、はじめに、前記妨害ブロック７３は前記引掛溝７４の中に位置し、前記第一原料保存空間３４と、前記第二原料保存空間３８と、前記第三原料保存空間４３とはそれぞれ前記第一投入穴３３と、前記第二投入穴３９と、前記第三投入穴４１とを通じて前記反応空間１８と連通し、前記復位ばね２９は圧縮状態にある。
【００２１】
好ましくは、はじめに、前記摺動歯車７８は前記旋転軸１４の右側に位置し、前記摺動歯車７８と前記ラックスリーブ６７とは噛み合っていなく、前記牽引力ばね７９の牽引力は前記摺動歯車７８が前記回転棒６５で摺動する時に受けた摩擦力より強い。
【００２２】
好ましくは、はじめに、前記推動板８２は前記固定ブロック２２の上面に位置し、前記支持ばね１９の支持力は前記推動板８２が受けた重力より強い。
【００２３】
本願発明の作動手順は以下の通りである。
【００２４】
１、バイオマスエネルギー原料を第一原料保存空間３４の中に入れ、水３７を第二原料保存３８の中に入れ、ｐＨ調整剤４０を第三原料保存空間４３の中に入れ、バイオマスエネルギー原料は第一投入穴３３を経由して反応空間１８の中に入り、水３７は第二投入穴３９を経由して反応空間１８の中に入り、ｐＨ調整剤４０は第三投入穴４１を経由して反応空間１８の中に入り、この三者は推動板８２に堆積していき、その重さが固定ブロック２２を押して降下させるようになるとき、圧迫ブロック２１も降下し、引縄２３を引き締め、妨害ブロック７３は引縄２３に下方へ引かれて引掛溝７４から離脱し、隔離板３１は妨害ブロック７３の妨害をなくし、復位ばね２９によって右方へ運動し、そして第一投入穴３３と、第二投入穴３９と、第三投入穴４１とは閉ざされ、反応空間１８の中に原料を投入することができない。
【００２５】
２、モータ６１を作動させて伝動軸６２を駆動して回転させ、伝動歯車６４と第二傘歯車１５とは駆動されて回転し、そして第二傘歯車１５と噛み合った第一傘歯車１６は駆動されて回転し、さらに旋転軸１４は駆動されて回転し、さらに推動板８２と四本の固定棒２５とは駆動されて回転し、原料の反応速度を速め、そして加熱ブロック１７を作動させ、反応空間１８における反応活動に適した温度を提供させ、伝動歯車６４は回転して伝動歯車６４と噛み合った従動歯車１１を駆動して回転させ、そして回転棒６５は駆動されて回転し、さらに摺動歯車７８は駆動されて回転する。
【００２６】
３、反応がある程度行った後に、反応空間１８から生み出したメタンガスによって、反応空間１８の内部気圧が増大し、ピストン板４７は押されて右方へ運動し、細縄４８を引き締め、摺動歯車７８は細縄４８に引かれて左方へ運動してラックスリーブ６７と噛み合い、そしてラックスリーブ６７と旋転軸１４とは駆動されて上昇し、さらに推動板８２は駆動されて上昇し、旋転軸１４が上昇するとき、第一傘歯車１６と第二傘歯車１５とは噛み合いから離脱し、推動板８２は回転を止め、推動板８２は上昇して反応空間１８の中のメタンガスを入気口４５を経由して収集空間５１の中に送り、メタンガスが収集空間５１に入る過程において、圧迫板４９は気圧に押されて上昇し、収集空間５１の中の空気は排気口５０を経由して排出され、推動板８２が上昇すると同時に、圧迫ブロック２１は推動板８２による圧力をなくし、支持ばね１９によって上昇し復位し、引縄２３は緩み、妨害ブロック７３は引縄２３の牽引力をなくし、弾性ばね７２によって上昇し復位する。
【００２７】
４、メタンガスを収集し終えたあと、ピストン板４７は二本の圧縮ばね４６によって左方へ運動し復位し、細縄４８は緩み、摺動歯車７８は細縄４８の牽引力をなくし、牽引力ばね７９によって右方へ運動し復位し、摺動歯車７８とラックスリーブ６７とは？み合いから離脱し、推動板８２と旋転軸１４とは重力によって下方へ運動し復位し、モータ６１を作動させて逆回転させ、伝動軸６２と伝動歯車６４とは駆動されて逆回転し、そしてラチェット５７は駆動されて逆回転し、さらに回転軸５９とリール５８とは駆動されて回転し、麻縄２８を引き締め、隔離板３１は麻縄２８に引かれて左方へ復位し、妨害ブロック７３は再び引掛溝７４の中に入る。
【００２８】
５、モータ６１を止め、操作を完了とし、手動で電磁スイッチ５４を入れ、収集空間５１の中にある圧迫板４９は二本の弾力ばね５２によって下方へ運動し、収集空間５１の中のメタンガスを排気穴５５から押し出す。
【００２９】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願はバイオマスエネルギーでメタンガスを作成する設備を開示した。
【解決手段】
本願はバイオマスエネルギーでメタンガスを作成する設備を開示し、外殻を含み、前記外殻の中には反応空間が設置され、前記外殻の内部右端には伝動空間が設置され、前記伝動空間の中には本願発明に動力を提供できる伝動機構が設置され、前記反応空間の中には攪拌機能と搬送機能を備える昇降回転機構が設置され、本願発明はシンプルな構成と簡単な操作方法を有し、作動時、自動的に原料を配合でき、設計された投入口のサイズによって、一定の比率で原料を配合でき、また、本願発明は攪拌と加熱機能を備え、素早く反応を行った後に、自動的に収集し始め、反応で得たメタンガスを集められる。
【選択図】図１【図１】
0006814350.tif 000002
【図２】
0006814350.tif 000003
【図３】
0006814350.tif 000004
【図４】
0006814350.tif 000005
【図５】
0006814350.tif 000006